(57)【要約】【課題】  調和空気による室内空気の誘引量を調整可能として、居住域に適切な温度及び湿度とした混合空気を到達させられ、居住域での空気調和を問題なく実行できる吹出口装置を提供する。【解決手段】  中ノズル１０外側に外ノズル２０が中ノズル１０より吹出し方向側に突出させて配設されると共に、その突出量を調整可能とされ、中ノズル１０と外ノズル２０との間の隙間部分を調和空気吹出し方向とは反対側で空気調和対象空間に連通させ、中ノズル１０から調和空気を吹出すと、外ノズル内で調和空気の気流の周囲に誘引空気の気流が発生することから、外ノズル２０の開口端部を出る気流が空気調和対象空間を進行する際に、調和空気の気流が室内空気との接触による抵抗を受けにくく、調和空気の到達距離を伸ばせると共に、調和空気に誘引空気の気流が伴うことで吹出口から居住域に向かう全体風量を増やすことができ、効率よく空気調和を実行できる。【選択図】  図１
2016084956.tif 000002
【特許請求の範囲】
【請求項１】
空気調和対象空間の所定箇所に配設され、当該空気調和対象空間内で調和空気供給用のダクトと接続され、当該ダクトから供給される調和空気を空気調和対象空間に吹出す吹出口装置において、
空気調和用の調和空気が通過可能な開口部を取囲んだ略筒状体として形成され、空気調和対象空間の所定箇所に配設され、一の開口端部を調和空気供給用のダクトと接続され、供給された調和空気を他の開口端部から前記空気調和対象空間へ吹出す中ノズルと、
当該中ノズルより大きな略筒状体で形成され、中ノズルの周囲に中ノズル外周面と所定間隔を隔てて配設される外ノズルとを備え、
当該外ノズルが、一方の開口端部を中ノズルに接続されたダクト周囲の空気調和対象空間に向けると共に、他方の開口端部を中ノズルの前記他の開口端部より空気吹出し方向側に突出させ、且つ、当該突出量を所定範囲内で調整可能とされて配設され、
前記中ノズルから吹出す調和空気が、外ノズルの一方の開口端部及び外ノズルと中ノズルとの間の隙間部分を通じて、空気調和対象空間の空気を誘引し、外ノズルの前記他方の開口端部から、誘引した空気を周囲に伴う状態で空気調和対象空間へ吹出すことを
特徴とする吹出口装置。
【請求項２】
前記請求項１に記載の吹出口装置において、
前記外ノズルの中ノズルに対する突出量の調整範囲が、外ノズル内における前記調和空気による空気調和対象空間の空気の誘引量が最小量となる最小限突出位置から、調和空気が少なくとも外ノズル内周に達しない状態を維持しつつ、突出量の増減に対応して空気誘引量も増減する状態が成り立つ最大限突出位置までの間の、任意の所定範囲に設定されることを
特徴とする吹出口装置。
【請求項３】
前記請求項１又は２に記載の吹出口装置において、
前記外ノズルが、中ノズルの周囲に位置する筒状の本体部と、当該本体部の空気吹出し方向側の端部に少なくとも一部重なる状態で位置調整可能に配設され、本体部に対する空気吹出し方向側への突出量を調整可能とされる可動筒部とを備えることを
特徴とする吹出口装置。
【発明の詳細な説明】
【技術分野】
【０００１】
本発明は、空気調和対象空間に調和空気を吹出して空気調和を行う吹出口装置に関する。
【背景技術】
【０００２】
空気調和設備の一部として、ダクトを通じて供給される調和空気を、空気調和対象の室内空間に吹出す吹出口装置は、用途に応じて様々な形状のものが従来から用いられている。その中で、所望の吹出し方向に対し調和空気の到達距離を重視しつつ吹出す用途に適するものとして、ノズル型の吹出口装置が従来から使用されている。
【０００３】
従来のノズル型の吹出口装置は、ダクトと接続されて調和空気を供給される略円筒体で形成されて、天井又は壁に配設される構成であり、ダクトから取入れた調和空気をそのまま開口方向に吹出し、調和空気を遠方まで送込んで室内空間の空気調和を図るものとなっている。こうした従来のノズル型の吹出口装置の例として、登録実用新案第３０４５９４０号公報に開示されるものがある。
【先行技術文献】
【特許文献】
【０００４】
【特許文献１】登録実用新案第３０４５９４０号公報
【発明の概要】
【発明が解決しようとする課題】
【０００５】
従来の吹出口装置は前記特許文献１に示されるようなものとされているが、空気調和として冷房を行う場合、吹出す冷たい調和空気が吹出口装置内の各部と接触する。一方、吹出口装置には、二次空気として誘引された室内の温かい空気も、吹出口装置の室内空間に面する部分に接触することがあり、その場合、吹出口装置が調和空気と接触して温度低下し、それに伴って室内空気と接触する箇所の温度も低下していると、結露を生じ、この結露で生じた水滴が吹出口周囲の汚染の原因となったり、室内空間居住域に落下したりするおそれがある。こうした結露の防止のために、従来から吹出口装置には表面に植毛を施したり、断熱材を貼付けたりする等の断熱加工が行われていた。しかしながら、こうした断熱加工は、吹出口装置の構造を複雑化させ、コスト高になるばかりでなく、製造工程も複雑化して製造に手間がかかるという課題を有した。
【０００６】
また、天井側から居住域の特定箇所に局所的に吹出す従来の吹出口、例えばノズル型やパンカルーバ型の吹出口装置は、調和空気の気流が吹出口を出た後、室内空気を誘引しながら室内空間を進行していくが、調和空気とこれに誘引される室内空気との速度差が大きいため、調和空気と誘引空気との混合が起こりにくく、冷房時に相対湿度の比較的高い調和空気の気流が居住域に到達するようにした場合、居住域に達した気流全体の相対湿度が十分に低下しきれない状態となり、居住域に設置されている機械設備や電子機器等にそうした気流が接すると、それらの表面が冷却されることに加え、周囲雰囲気の相対湿度が高くなることに伴い、こうした機器に結露が生じ、悪影響が生じるおそれがあるという課題を有していた。
【０００７】
また、従来の局所吹出し用の吹出口は、気流の吹出し速度や風量に影響を与える構成要素がほとんどなく、気流の到達距離を調整しにくいことから、吹出し気流を居住域に適切に到達させて空気調和を行えるようにするためには、吹出口を吹出し気流が居住域に到達することのできる室内空間の所定位置に設置するなど、吹出口設置位置ごとの調整となるため、調整は難しく且つ手間もかかるという課題を有していた。
【０００８】
本発明は前記課題を解消するためになされたもので、調和空気の吹出し状態とこれによる室内空気誘引状態を最適化して、吹出口での結露防止を図りつつ、調和空気による室内空気の誘引量を調整可能として、居住域に適切な温度及び湿度とした混合空気を到達させられ、居住域での空気調和を問題なく実行できる吹出口装置を提供することを目的とする。
【課題を解決するための手段】
【０００９】
本発明に係る吹出口装置は、空気調和対象空間の所定箇所に配設され、当該空気調和対象空間内で調和空気供給用のダクトと接続され、当該ダクトから供給される調和空気を空気調和対象空間に吹出す吹出口装置において、空気調和用の調和空気が通過可能な開口部を取囲んだ略筒状体として形成され、空気調和対象空間の所定箇所に配設され、一の開口端部を調和空気供給用のダクトと接続され、供給された調和空気を他の開口端部から前記空気調和対象空間へ吹出す中ノズルと、当該中ノズルより大きな略筒状体で形成され、中ノズルの周囲に中ノズル外周面と所定間隔を隔てて配設される外ノズルとを備え、当該外ノズルが、一方の開口端部を中ノズルに接続されたダクト周囲の空気調和対象空間に向けると共に、他方の開口端部を中ノズルの前記他の開口端部より空気吹出し方向側に突出させ、且つ、当該突出量を所定範囲内で調整可能とされて配設され、前記中ノズルから吹出す調和空気が、外ノズルの一方の開口端部及び外ノズルと中ノズルとの間の隙間部分を通じて、空気調和対象空間の空気を誘引し、外ノズルの前記他方の開口端部から、誘引した空気を周囲に伴う状態で空気調和対象空間へ吹出すものである。
【００１０】
このように本発明によれば、中ノズル外側に外ノズルが中ノズルより吹出し方向側に突出させて配設されると共に、外ノズルの中ノズルに対する突出量を調整可能とされ、中ノズルと外ノズルとの間の隙間部分を調和空気吹出し方向とは反対側で空気調和対象空間に連通させて、中ノズルから調和空気を空気調和対象空間へ吹出すと、前記隙間部分に存在する空気が中ノズルから出る調和空気の気流に誘引され、さらに誘引された空気の分だけ前記隙間部分に後方から空気調和対象空間の空気が流れ込む状態の繰り返しとなって、外ノズル内で、中ノズル及びこれから吹出される調和空気の気流の周囲に、外ノズル前方の空気調和対象空間側に向う誘引空気の気流が発生する。これにより、外ノズルの開口端部を出る気流は、空気調和対象空間からの誘引空気の気流が調和空気の気流主流部分を取り囲む状態となり、こうして調和空気の気流がその周囲に誘引空気の気流を伴った状態で空気調和対象空間を進行することで、調和空気の気流がほとんど動きのない室内空気との接触による抵抗を受けにくく、調和空気の気流の到達距離を伸ばすことができると共に、調和空気に誘引空気の気流が伴うことで吹出口から居住域に向かう全体風量を増やすことができ、空気調和対象空間の居住域における使用者の存在する特定の領域に調和空気を確実に到達させつつ、調和空気を含む気流の到達範囲を広くしてより広範囲の領域に空気調和の効果を与えられ、効率よく空気調和を実行でき、空気調和のコストを抑えられる。
【００１１】
また、中ノズルから吹出す調和空気の気流で空気調和対象空間の空気を誘引する状態で、外ノズルの中ノズルに対する突出量を調整すると、空気調和対象空間の空気の誘引量を変化させられることで、使用状況に応じた調和空気と誘引空気との混合状態が得られ、あらかじめ設定された調和空気と誘引空気との混合割合に基づいて調整された温度及び湿度の混合空気の気流を、居住域の使用者の位置に到達させて、適切な空気調和を実行できる。そして特に、冷房の際、外ノズルの調整で誘引空気量を適切に設定すると、調和空気と誘引空気が外ノズルから吹出された後、居住域に達する段階では、調和空気と誘引空気との混合進行により、気流をなす混合空気の相対湿度を十分に下げることができ、使用者の周囲に存在する機器類に結露等の悪影響が生じるのを防止できる。
【００１２】
さらに、中ノズルと外ノズルとの間に隙間部分が存在することで中ノズルと外ノズルとの間で熱が伝わりにくい状態となり、冷房の場合に、調和空気との接触で冷えた中ノズルに外ノズルが熱を奪われにくいことに加え、誘引空気が調和空気の気流の周囲に存在して、調和空気の外ノズルへの接触を回避できることにより、外ノズルの温度低下を抑えて、外ノズルの温度を周囲の空気調和対象空間の温度にほぼ保てることとなり、空気調和対象空間内の空気が外ノズル表面と接触しても、この空気を露点まで冷すことはなく、外ノズル表面での結露を防止でき、外ノズルの表面に植毛等の断熱処理が不要となり、外ノズルの断熱構造を簡略化してコストダウンが図れる。
【００１３】
また、本発明に係る吹出口装置は必要に応じて、前記外ノズルの中ノズルに対する突出量の調整範囲が、外ノズル内における前記調和空気による空気調和対象空間の空気の誘引量が０となる最小限突出位置から、調和空気が少なくとも外ノズル内周に達しない状態を維持しつつ、突出量の増減に対応して空気誘引量も増減する状態が成り立つ最大限突出位置までの間の、任意の所定範囲に設定されるものである。
【００１４】
このように本発明によれば、外ノズルの中ノズルに対する突出量を、空気誘引量が０となる最小限突出位置から、突出量の増減に合わせて誘引量も増減させられる特性が生じる範囲で最大限突出した位置までの間の、あらかじめ設定した所定範囲で調整するようにして、外ノズルの突出量調整に合わせて空気調和対象空間の空気の誘引量を調整可能とすることにより、外ノズルの突出量の変化に一対一に対応させて空気誘引量を変化させることができ、外ノズルから吹出される空気中における誘引空気の割合の調整を適切に行える。
【００１５】
また、本発明に係る吹出口装置は必要に応じて、前記外ノズルが、中ノズルの周囲に位置する筒状の本体部と、当該本体部の空気吹出し方向側の端部に少なくとも一部重なる状態で位置調整可能に配設され、本体部に対する空気吹出し方向側への突出量を調整可能とされる可動筒部とを備えるものである。
【００１６】
このように本発明によれば、外ノズルを本体部と可動筒部との組合せ構造とし、可動筒部を本体部に対し位置調整して突出量調整可能とすることにより、重ねた筒状体同士を互いにずらせるようにした簡略な構成でスムーズに室内空気の誘引量を調整できる。
【図面の簡単な説明】
【００１７】
【図１】本発明の一実施形態に係る吹出口装置の使用状態説明図である。
【図２】本発明の一実施形態に係る吹出口装置の正面図である。
【図３】本発明の一実施形態に係る吹出口装置の平面図である。
【図４】図２のＡ−Ａ断面拡大図である。
【図５】本発明の一実施形態に係る吹出口装置における外ノズル突出量小状態説明図である。
【図６】本発明の一実施形態に係る吹出口装置における外ノズル突出量大状態説明図である。
【発明を実施するための形態】
【００１８】
（本発明の第１の実施形態）
以下、本発明の第１の実施形態に係る吹出口装置を前記図１ないし図６に基づいて説明する。本実施形態では、空気調和対象の室内空間における天井近傍に配設される吹出口装置の例について説明する。
【００１９】
前記各図において本実施形態に係る吹出口装置１は、円形開口断面の開口部を取囲んだ略筒状体として形成され、室内空間の天井近傍所定箇所に配設され、調和空気供給用のダクト８１と接続されて調和空気を供給される中ノズル１０と、この中ノズル１０より大きな略筒状体で形成され、中ノズル１０の周囲に中ノズル１０外周面と所定間隔を隔てて配設される外ノズル２０とを備える構成である。
【００２０】
前記中ノズル１０は、調和空気の通過する円形開口断面の開口部１１を取囲む、金属等の強度の高い材質製の略円筒体として形成される構成である。この中ノズル１０の一の開口端部は、同様の円形開口断面形状を有するダクト８１端部との接続部分とされ、また、中ノズル１０の他の開口端部は、円形開口断面形状を保ちつつ一の開口端部より小径とされ、中ノズル１０の一の開口端部と他の開口端部との間に筒内径が徐々に変化する部位が形成される構成である。
【００２１】
そして、中ノズル１０の一の開口端部が、天井８０付近の室内空間に突出状態で配設されたダクト８１端部に、直接接続されて取付けられ、中ノズル１０は、他の開口端部を室内空間下方（居住域）に向けつつ、室内空間における天井８０の近傍所定位置に固定される構成である（図１参照）。この中ノズル１０が、ダクト８１から供給された調和空気を他の開口端部から室内空間へ吹出すこととなる。
なお、ダクト８１の室内空間に配設された部分は、吹出口装置１全体の重量が加わっても変形しない強度を有しており、中ノズル１０を介して吹出口装置全体を固定状態で支持できる。
【００２２】
前記外ノズル２０は、内側が円形断面の開口部となる、中ノズル１０より大きい略円筒体として形成され、中ノズル１０の外側に中ノズル１０を取囲むように配置され、略棒状の支持部１５を介して中ノズル１０に固定支持される構成である。詳細には、外ノズル２０は、中ノズル１０の周囲に位置する略円筒体の本体部２１と、この本体部２１の調和空気吹出し方向側の端部に少なくとも一部重なる状態で相互に摺動可能に配設され、本体部２１に対し位置調整可能とされる可動筒部２２とを備える構成である。
【００２３】
可動筒部２２は、外ノズル２０の本体部２１端部よりわずかに大きい略筒状体として形成され、外ノズル２０の本体部２１にその円筒軸線方向に位置調整可能として支持される構成である。
【００２４】
より具体的には、可動筒部２２の円筒軸線方向長さは、例えば筒部内径２９０ｍｍの場合で１１０ｍｍ〜２５０ｍｍとし、また、本体部２１に対する移動幅は、約８０ｍｍ〜２２０ｍｍとするのが好ましい。この可動筒部２２のみを調整機構としていることで、調整に係る機構を簡略なものとすることができる。
【００２５】
この可動筒部２２は、本体部２１端部から脱落しない状態を維持しつつ本体部２１に対し位置調整可能に支持されることで、外ノズル２０の中ノズル１０に対する空気吹出し方向側への突出量を調整可能としている。
【００２６】
そして、外ノズル２０は、可動筒部２２とは反対側となる一方の開口端部を中ノズル１０に接続されたダクト８１周囲の室内空間に向けると共に、可動筒部２２のある他方の開口端部を中ノズル１０の前記他の開口端部より空気吹出し方向側に突出させて配設される。また、外ノズル２０の一方の開口端部が、ベルマウス状に徐々に開口断面積が縮小する開口形状として形成される構成である。
【００２７】
この外ノズル２０は、一方の開口端部側から、中ノズル１０と外ノズル２０間の隙間部分２１ａに、中ノズル１０から吹出される調和空気に誘引された吹出口装置後方の室内空間の空気を流入させる。そして、この誘引された室内の空気と中ノズル１０を出た調和空気とを、外ノズル２０が、室内空間居住域を向いた他方の開口端部から吹出すこととなる。調和空気は、誘引した空気を周囲に伴う状態で、室内空間へ吹出される。
【００２８】
外ノズル２０の本体部２１と可動筒部２２との間には、可動筒部２２を本体部２１に対し位置調整可能とする関係上、可動性を得るための若干の隙間が発生する。この隙間については、外ノズル２０内外の圧力差を維持して、調和空気吹出しに伴う隙間部分２１ａへの室内空気の誘引量を確保するため、所定の気密保持用のシール材を設けて、ここからの空気の出入りを防ぐようにすることが望ましい。
【００２９】
中ノズル１０と外ノズル２０との間に、隙間部分２１ａが存在することで、中ノズル１０と外ノズル２０との間で熱が伝わりにくい状態となり、冷房の場合に、調和空気との接触で冷えた中ノズル１０に外ノズル２０が熱を奪われにくいことに加え、誘引空気が調和空気の気流の周囲に存在して、調和空気の外ノズル２０への接触を回避できる。これにより、外ノズル２０の温度低下を抑えて、外ノズル２０の温度を周囲の室内空間の温度にほぼ保てる。そのため、室内空間内の空気が外ノズル２０表面と接触しても、この空気を露点まで冷すことはなく、外ノズル２０表面での結露を防止でき、外ノズル２０の表面に植毛等の断熱処理が不要となり、外ノズル２０の断熱構造を簡略化してコストダウンが図れる。
【００３０】
次に、前記構成に基づく吹出口装置における空気吹出し状態について説明する。前提として、吹出口装置からの吹出しに際して、吹出口装置が居住域の使用者に向けて調和空気吹出しを行えるようあらかじめ位置及び向きを設定されて配設されると共に、外ノズルの可動筒部２２の本体部２１に対する位置調整可能範囲が、これに伴う吹出し気流の到達範囲変化が、居住域の使用者位置を含む形で生じるように設定されるものとする。
【００３１】
ダクト８１から供給された調和空気は、中ノズル１０の一の開口端部を通じてスムーズに中ノズル内の開口部１１へ進行し、中ノズルの他の開口端部から吹出す。中ノズル１０から出た調和空気は、中ノズル１０から外ノズル２０が突出している長さ分、外ノズル内を進行することとなる。
【００３２】
外ノズル２０が中ノズル１０に対し突出量を最小とする状態、すなわち、外ノズルの可動筒部２２が本体部２１に対する位置調整可能範囲で、最も一方の開口端部寄りに位置する状態（図３、図４参照）では、外ノズル２０内に中ノズル１０から出た調和空気と外ノズル内の他の空気との混合のための区間が確保されないことから、調和空気と外ノズル内空気との混合に伴う誘引は生じず、誘引は一般的な吹出口同様、吹出される調和空気の気流周囲でのみ生じて、外ノズル内における空気の誘引量は最小量となり、外ノズル２０の他方の開口端部からは、ほぼ中ノズル１０を出た調和空気のみが、室内空間の居住域に向けて吹出す状態となる。
【００３３】
可動筒部２２を本体部２１に対し位置調整して、最も一方の開口端部寄り位置から離れる側に移動させると、外ノズル内に中ノズル１０から出た調和空気と外ノズル内の他の空気との混合区間が生じる。この状態で、中ノズル１０から調和空気を室内空間へ向けて吹出した場合、中ノズル１０と外ノズル２０間の隙間部分２１ａに存在する空気が中ノズル１０から出る調和空気の気流に誘引され、さらに誘引された空気の分だけ前記隙間部分２１ａに外ノズル後方の室内空間の空気が流れ込む状態の繰り返しとなって、外ノズル２０内で、中ノズル１０及びこれから吹出される調和空気の気流の周囲に、外ノズル２０前方の室内空間側に向う誘引空気の気流が発生する。そして、調和空気の一部が誘引した空気と混合しながら、これら調和空気及び誘引空気が外ノズル２０の他方の開口端部から室内空間に吹出される。
【００３４】
外ノズル２０の突出量が小さく、外ノズル２０の配置に基づく室内空気の誘引量が０又は少ない場合、外ノズル内で誘引される空気量より外ノズルを出た後で調和空気に誘引される空気量の割合が大きく、室内空間で進行する調和空気の気流周囲に存在する、速度差の大きい室内空気との混合で、吹出し気流の進行速度低下が著しく、その到達距離は短くなる。
【００３５】
一方、可動筒部２２をさらに吹出し方向側に動かして、外ノズル２０の突出量が適度な大きさとなり、室内空気の誘引量が十分な場合、外ノズル２０内で、中ノズル１０から吹出した調和空気の気流主流部分を、室内空間からの誘引空気の気流が取り囲む状態となり、外ノズル２０の他方の開口端部を出る気流は、こうして調和空気の気流がその周囲に誘引空気の気流を伴う状態となって、この状態で室内空間を進行することで、調和空気の気流がほとんど動きのない室内空気との直接的な接触、混合による抵抗を受けにくく、調和空気の気流の到達距離を伸ばすことができる。
【００３６】
また、外ノズル２０内で室内空間の空気の一部を調和空気とあらかじめ混合した上で吹出せることにより、ダクト８１から供給されて中ノズル１０に流入する調和空気より多くの空気を吹出して、吹出口装置１から居住域に向かう全体風量を増やすことができ、居住域の使用者が存在する所望の領域に対しより効率よく空気調和を行える。そして、居住域に到達する空気に、誘引した室内空気が所定の割合で加わることとなるため、例えば、本吹出口装置１を使用しつつ、居住域における空気調和を行うための到達空気量を従前のまま維持する場合には、室内空気の誘引分を見込んで、調和空気を生じさせる空気調和機からの、室内空間に向かわせる調和空気の生成量を抑制することもでき、空気調和機の稼動に係るコスト抑制も図れる。
【００３７】
さらに、供給する調和空気量が同じであれば、外ノズル２０の使用により居住域に向かう誘引空気の量が増えることで、居住域の使用者に達する空気の風速も増すこととなり、風が当たることを使用者が好ましいと感じられる空気調和状況では、その使用者における快適性の向上も図れるなど、空気調和効果の高い室内環境を提供できる。
【００３８】
以上のように、外ノズル２０の可動筒部２２の位置調整により、例えば、可動筒部を室内空間居住域寄りとして外ノズルを中ノズルに対し大きく突出させ、中ノズル１０から吹出される調和空気による誘引を多く発生させる状態（図６参照）や、可動筒部を逆に天井寄りとして、中ノズルに対する外ノズルの突出量を抑え、誘引を少なくした状態（図５参照）を、適宜設定できるなど、所望の空気吹出し状態が得られる。
【００３９】
また、こうした吹出しの際における室内空間の空気の誘引量を変化させられることで、使用状況に応じた調和空気と誘引空気との混合状態を得ることができる。そして、外ノズル２０の調整に基づく調和空気と誘引空気との混合割合と、この調和空気と誘引空気の混合した空気の気流が居住域の使用者の位置に到達する段階での温度及び湿度との関係をあらかじめ把握しておけば、吹出口装置１の使用に先立って調和空気と誘引空気との混合割合を所望の空気調和状況に応じた既知の値となるよう外ノズル２０を調整することで、居住域の所望の位置において、そこに達した調和空気と誘引空気との混合空気を適度に調整された温度及び湿度とすることができ、この混合した空気で、居住域の使用者の存在する領域に対し適切な空気調和を実行できる。
【００４０】
例えば、冷房の際に、温度２０℃、相対湿度９０％、重量絶対湿度０．０１３ｋｇ／ｋｇ（ＤＡ）の調和空気と、温度３０℃、相対湿度６０％、重量絶対湿度０．０１６ｋｇ／ｋｇ（ＤＡ）の室内空気とを、外ノズルの調整により、２：１で混合した状態とする場合、吹出し空気は、温度２３．５℃、相対湿度７８％、重量絶対湿度０．０１４ｋｇ／ｋｇ（ＤＡ）となる。
【００４１】
ここから、外ノズルを吹出し方向側にさらに突出調整し、誘引空気量を増やし、調和空気と室内空気との混合比を１：１とした場合は、吹出し空気は、温度２５℃、相対湿度７３％、重量絶対湿度０．０１４５ｋｇ／ｋｇ（ＤＡ）となる。
【００４２】
上記のように、冷房の際、外ノズル２０の調整で外ノズル２０内での室内空気の誘引量を適切に設定すると、仮に調和空気の相対湿度が高い状態でも、調和空気と誘引空気が外ノズル２０から吹出された後、居住域に達する状態で、調和空気と誘引空気との混合進行に伴って、気流をなす混合空気の相対湿度を十分に下げることができ、居住域の使用者の周囲に存在する機器や設備類に結露等の悪影響が生じるのを防止できる。
【００４３】
こうして、調和空気の相対湿度が高くても、誘引空気との混合で、居住域に到達した段階では気流全体の相対湿度を下げられることから、冷房用の調和空気生成時に必ずしも除湿を行わずに済むこととなり、空気温度を下げる以外の調整を特に行わず、簡易に調和空気を生成するようにして、空気調和に係るコストを低減できる。
【００４４】
なお、ダクトの吹出口近傍部分が、吹出口各部を支持できる十分な強度を有しつつ、適度な可撓性を有している場合、中ノズル１０及び外ノズル２０の開口の向きを変えるように吹出口装置を動かして、調和空気の吹出方向を変えるようにしてもかまわない。
【００４５】
このように、本実施形態に係る吹出口装置においては、中ノズル１０外側に外ノズル２０が中ノズル１０より吹出し方向側に突出させて配設されると共に、外ノズル２０の中ノズル１０に対する突出量を調整可能とされ、中ノズル１０と外ノズル２０との間の隙間部分２１ａを調和空気吹出し方向とは反対側で室内空間に連通させて、中ノズル１０から調和空気を吹出すと、隙間部分２１ａに存在する空気が中ノズルから出る調和空気の気流に誘引され、さらに誘引された空気の分だけ隙間部分２１ａに後方から室内空間の空気が流れ込む状態の繰り返しとなって、外ノズル２０内で、中ノズル１０及びこれから吹出される調和空気の気流の周囲に、外ノズル２０前方の室内空間側に向う誘引空気の気流が発生することから、外ノズル２０の開口端部を出る気流は、室内空間からの誘引空気の気流が調和空気の気流主流部分を取り囲む状態となる。こうして調和空気の気流がその周囲に誘引空気の気流を伴った状態で室内空間を進行することで、調和空気の気流がほとんど動きのない室内空気との接触による抵抗を受けにくく、調和空気の気流の到達距離を伸ばすことができる。加えて、調和空気に誘引空気の気流が伴うことで吹出口から居住域に向かう全体風量を増やすことができ、室内空間の居住域における使用者の存在する特定の領域に調和空気を確実に到達させつつ、調和空気を含む気流の到達範囲を広くしてより広範囲の領域に空気調和の効果を与えられ、効率よく空気調和を実行でき、空気調和のコストを抑えられる。
【００４６】
なお、前記実施形態に係る吹出口装置において、中ノズル１０や外ノズル２０の空気吹出し側部分の形状は、それぞれ内径変化のない筒形状として形成され、吹出しの際に気流速度の変化が生じにくい構成としているが、これに限らず、中ノズルと外ノズルのいずれか一方、又は両方を、用途に応じて先細形状としたり、逆に拡大形状として、吹出しの際にノズル形状に応じた速度変化を生じさせる構成とすることもできる。また、中ノズル１０の調和空気入口側（一の開口端部）や外ノズル２０の室内空気取り入れ側（一方の開口端部）の開口形状も、ベルマウス状に拡開させた形状としているが、これに限られるものではなく、各空気がスムーズにノズル内に流入できるものであれば、他の形状を採用してもかまわない。
【符号の説明】
【００４７】
１              吹出口装置
１０            中ノズル
１１            開口部
１５            支持部
２０            外ノズル
２１            本体部
２２            可動筒部
８０            天井
８１            ダクト
【図１】
2016084956.tif 000003
【図２】
2016084956.tif 000004
【図３】
2016084956.tif 000005
【図４】
2016084956.tif 000006
【図５】
2016084956.tif 000007
【図６】
2016084956.tif 000008